(57)【要約】【課題】作動機構を有しない縫いぐるみ玩具であっても恰も作動機構を内蔵しているように作動させることができ、ぬいぐるみ玩具の製造コストの低減化を図ることができる玩具作動装置を提供すること。【解決手段】装置本体１に縫いぐるみ等の玩具Ａを保持する保持部２と、該保持部２に保持された玩具Ａの一部に係合するとともに可動可能な係合部材１２と、該係合部材１２を作動させる作動機構１０とを設け、上記保持部２には上記玩具を保持したことを検出する第１の検出手段７を配置し、上記装置本体１にはユーザーが保持して上記玩具Ａに働きかけたことを感知する第２の検出手段３１を備えた形象部材Ｂを着脱可能に配置し、上記装置本体１には上記第１の検出手段７と第２の検出手段３１との検出結果に基づいて上記作動機構１０を作動制御する制御手段３５を設けた。【選択図】図１
2005185547.tif 000002
【特許請求の範囲】
【請求項１】
以下の要件を備えたことを特徴とする玩具作動装置。
（イ）装置本体に縫いぐるみ等の玩具を保持する保持部を設けたこと
（ロ）上記装置本体には上記玩具の外側の一部に係合し可動可能な係合部材と該係合部材を作動させる作動機構とを設けたこと
（ハ）上記保持部には上記玩具を保持したことを検出する第１の検出手段が配置されていること
（二）上記装置本体には上記玩具に関連するとともに、ユーザーが保持可能な少なくとも１つの形象部材を着脱可能に配置し、該形象部材にはユーザーが保持して上記玩具に働きかけたことを感知する第２の検出手段を配置したこと
（ホ）上記装置本体には上記第１の検出手段と第２の検出手段の検出結果に基づいて上記作動機構を作動させる制御手段を設けたこと
【請求項２】
前記装置本体には前記形象部材に関連した効果音を出力する効果音出力部を設け、前記制御部は前記第２の検出手段の検出結果に基づいて上記効果音出力部を作動させる、請求項１記載の作動装置。
【発明の詳細な説明】
【技術分野】
【０００１】
本発明は、玩具作動装置、詳しくは動作機構を有しない縫いぐるみ等の玩具を恰も動作機構を備えているように動作させることができる玩具作動装置に関するものである。
【背景技術】
【０００２】
従来、人形や動物の縫いぐるみ等の玩具が声を出したり体を動かしたりするものはよく知られているが、これらの玩具は体内に声を出す音声装置や体を動かす作動機構が設けられ、これらの音声装置や作動機構が作動することによって声を出したり体を動かしたりするように構成されているものである（例えば、特許文献１）。
【特許文献１】実開平５−８２４９０号公報
【発明の開示】
【発明が解決しようとする課題】
【０００３】
本発明が解決しようとする問題点は、上述の玩具では体内に各種動作機構、音声装置、電池等を収容しているため、玩具の体に触った時に上記動作機構、音声装置や電池を収容したケース等の感触が不自然であるとともに、玩具自体の製造コストが高くなる点であった。
【０００４】
本発明は、上記問題点を解決し、作動機構を有しない縫いぐるみ玩具であっても恰も作動機構を内蔵しているように作動させることができ、ぬいぐるみ玩具の製造コストの低減化を図ることができる玩具作動装置を提供することをその課題とする。
【課題を解決するための手段】
【０００５】
前記課題を解決するために本発明に係る玩具作動装置は、以下の要件を備えたことを特徴とする。
（イ）装置本体に縫いぐるみ等の玩具を保持する保持部を設けたこと
（ロ）上記装置本体には上記玩具の外側の一部に係合し可動可能な係合部材と該係合部材を作動させる作動機構とを設けたこと
（ハ）上記保持部には上記玩具を保持したことを検出する第１の検出手段が配置されていること
（二）上記装置本体には上記玩具に関連するとともに、ユーザーが保持可能な少なくとも１つの形象部材を着脱可能に配置し、該形象部材にはユーザーが保持して上記玩具に働きかけたことを感知する第２の検出手段を配置したこと
（ホ）上記装置本体には上記第１の検出手段と第２の検出手段の検出結果に基づいて上記作動機構を作動させる制御手段を設けたこと
なお、前記装置本体には前記形象部材に関連した効果音を出力する効果音出力部を設け、前記制御部は前記第２の検出手段の検出結果に基づいて上記効果音出力部を作動させるようにしてもよい。
【発明の効果】
【０００６】
請求項１の発明によれば、保持部で装置本体に保持された縫いぐるみ等の玩具は、作動機構を作動させると縫いぐるみ等の玩具の一部が作動し、作動機構が内蔵されていない縫いぐるみであっても恰も作動機構が内蔵されているように動作させることができるので、ユーザーが既に持っている玩具を作動させて新たな遊びを展開することができる。
【０００７】
しかも、この作動機構は保持部に玩具を保持させない限りは作動しないので、不自然に玩具作動装置が作動することがない。
【０００８】
また、縫いぐるみ玩具にはメカニズムを収容する必要がないので汚れた時はいつでも簡単にクリーニングすることができるのでいつまでも綺麗な縫いぐるみ玩具で遊ばせることができ、衛生管理の面においても大きな効果を発揮することができるし、玩具の製造コストの低減化も図ることができる。
【０００９】
請求項２の発明によれば、形象部材に設けた第２の検出手段が作動すると形象部材に関連した効果音を効果音出力部が出力するようにしたので、ユーザーが形象物を手にして玩具に働きかけると、効果音を出力させることができるので、更に遊びの幅を広げることができる。
【発明を実施するための最良の形態】
【００１０】
装置本体に縫いぐるみ等の玩具を保持する保持部と、該保持部に保持された玩具の一部に外側から係合するとともに可動可能な係合部材と、該係合部材を作動させる作動機構とを設け、上記保持部には上記玩具を保持したことを検出する第１の検出手段を配置し、上記装置本体には上記玩具に関連するとともに、ユーザーが保持可能な少なくとも１つの形象部材を着脱可能に配置するとともに、該形象部材にはユーザーが保持して上記玩具に働きかけたことを感知する第２の検出手段を配置し、上記装置本体には上記第１の検出手段と第２の検出手段の検出結果に基づいて上記作動機構を作動させる制御手段を設けた。
【実施例１】
【００１１】
以下、図面によって本発明の実施の形態について説明する。図１、図２において、符号１は縫いぐるみ等の玩具を作動させる玩具作動装置（以下、作動装置という）を示し、この作動装置１は幼児が座る椅子を模して形成されて背もたれ３、肘掛け４及びテーブル５からなる保持部２が形成され、座部６には、保持部２に人形や動物の縫いぐるみ等の玩具を保持させたか否かを検知する第１の検知手段７が配置されている。
【００１２】
上記第１の検出手段７は光センサーで構成し、保持部２に縫いぐるみ玩具Ａが保持され、光センサーへの入光が遮断されたとき、後述する制御部３５は保持部２が縫いぐるみ玩具Ａを保持したことを認識できるようになっている。
【００１３】
なお、上記第１の検出手段７を磁気センサーで構成してもよい。この場合、縫いぐるみ玩具Ａの臀部に適宜方法でマグネットを取着すればよい。
【００１４】
そして座部６の下側には作動機構１０が配置されている。この作動機構１０は図３に示すように、モータ１１を駆動力として交互に上下に回動する係合部材１２が設けられている。この係合部材１２は２つのシーソー板１３、１４で構成され、縫いぐるみ玩具Ａを椅子１に座らせた時には脚部がシーソー板１３、１４の上面に係合するように形成されている。
【００１５】
なお、シーソー板１３、１４は下方に回動した時には基台８の上面と面一になるように形成され、縫いぐるみ玩具Ａを載せないときであっても視覚的に、作動装置を意識させないようになっている。
【００１６】
さらに、作動装置１には、ユーザーが手で持つことができるとともに、縫いぐるみ玩具に関連した形象部材Ｂが設けられている。この形象部材Ｂは蜂蜜の壷を模して形成された壷玩具１５、哺乳瓶を模して形成された哺乳瓶玩具１６、カスタネット状のガラガラを模して形成されたガラガラ玩具１７で構成されている。
【００１７】
上記作動機構１０は、上述したようにモータ１１を駆動力として係合部材１２を交互に上下に回動させるもので、モータ１１の出力軸２０に固定されたピニオンギヤ２１には減速歯車２２が噛合し、減速歯車２２の回転軸２３には一方の面に略三角形状の係合突部２４が突出して形成されたフリクションカム２５が固定され、このフリクションカム２５の一方の面に対向して回転軸２３にフリーな駆動カム２６が配置されている。この駆動カム２６の上記フリクションカム２５に対向する面には係合突部２４に係合可能な位置に係合凹部２７が形成されるとともに回転軸２３に対し相反する位置には互いに異なる面から突出してシーソー板１３、１４の後端１３ａ、１４ａに周期的に係合する駆動ピン２８ａ、２８ｂが形成されている。この駆動カム２６は回転軸２３に一端が固定されたスプリング２９で常にフリクションカム２５に圧接するように付勢されている。駆動ピン２８ａ、２８ｂで押し下げられたシーソー板１３、１４は軸３０を中心に上下に回動する。なお、シーソー板１３、１４に負荷がかかった場合は係合突部２４と係合凹部２７との係合が外れ作動機構１０に負荷の影響が及ばないようになっている。
【００１８】
そして、上記形象部材Ｂ（壷玩具１５、哺乳瓶玩具１６、ガラガラ玩具１７）にはそれぞれ、第２の検出手段３１（３１ａ、３１ｂ、３１ｃ）が配置されている。第２の検出手段３１ａ、３１ｂ、３１ｃはモータ１１を制御する制御部３５に信号線３６、３７、３８を介して検出信号を入力することができるようになっている。
【００１９】
第２の検出手段３１ａは蜂蜜などを入れた蜜壷を模して形成された壷玩具１５内に配置された押しボタンスイッチやリーフスイッチ等のＯＮ／ＯＦＦスイッチで構成され、この壷玩具１５の上面開口部１５ａからスプーン玩具４０の先端を差し込むと、スプーン玩具４０がスイッチ３１ａを押してＯＮさせることにより、制御部３５は第１の検出手段７が保持部２に縫いぐるみ玩具Ａが保持されていることを検出していることを条件に上記モータ１１を一定時間作動するようにプログラミングされている。
【００２０】
上記スプーン玩具４０は、図４、図５に示すように、スプーン本体４１にスライダ４２の前部が出没するように摺動可能に配置されているもので、スライダ４２の前部４２ａは壷玩具の内容物（蜂蜜）を模して形成されている。このスライダ４２はスプリング４３で常にスプーン本体４１に没入するように付勢されているが、スプーン玩具４０を壷玩具１５内に差し込んで引き抜くとき、スライダ４２の両面に形成されスプーン本体４１の上下面に形成された案内溝４４から露出した係合突片４５のいずれか一方が壷玩具１５の開口部１５ａに連設した案内筒４６の内壁面に形成された係合突部４７に係合し、スライダ４２は先端側に向かってスライド移動し、恰もスプーンですくったようにスプーン上に内容物が現われるようになっている。
【００２１】
先端側にスライドしたスライダ４２は、側面に形成された係止凹部４８がスプーン本体４１の内壁面に形成された係止突部４９に係止されて突出した状態が維持されるが、スプーン本体４１の先端から突出したスライダ４２の先端４２ａを縫いぐるみ玩具Ａの口部に押し付けると開口部５０が撓んで係止突部４９による係止状態が解除され、スプリング４３に付勢されてスプーン本体４１内に引き込まれ、恰も縫いぐるみ玩具が内容物を食したように見えるように構成されている。
【００２２】
また、第２の検出手段３１ｂは哺乳瓶を模した哺乳瓶玩具１６内に配置されたマイクロスイッチやリーフスイッチ等のＯＮ／ＯＦＦスイッチで構成され、この哺乳瓶玩具１６の先端の乳首部１６ａを縫いぐるみ玩具Ａの口部に押し付けて乳首部１６ａが哺乳瓶玩具１６内に引っ込んだ時にスイッチ３３ｂをＯＮさせることにより上記モータ１１が一定時間作動するように制御部３５に制御されている。
【００２３】
そして、第２の検出手段３１ｃはガラガラを模して形成された内部が中空なガラガラ玩具１７内に配置された振動スイッチや振り子スイッチ等のＯＮ／ＯＦＦスイッチで構成され、縫いぐるみ玩具Ａをあやすようにガラガラ玩具１７を振った時に内部に収容された複数のボール５１がぶつかり合ってガラガラ音が発生するとともに、スイッチ３１ｃがＯＮすることにより上記モータ１１が一定時間作動するように制御部３５に制御されている。
【００２４】
さらに、図６に示すように、上記制御部３５は効果音出力部５５を制御している。この効果音出力部５５は音声合成回路５６とスピーカ５７とで構成され、上述のスイッチ３１ａ、３１ｂ、３１ｃがＯＮすることにより予め音声合成回路５６に記憶されている効果音データの内から制御部３５の指示に基づいてスイッチごとに異なる効果音データを出力し、スピーカ５７から効果音として出力されるように構成されている。
【００２５】
この効果音データは、壷玩具１５のスイッチ３１ａがＯＮした時には熊が蜂蜜を催促する効果音「お腹がへった、早く頂だい」、哺乳瓶玩具１６のスイッチ３３ｂがＯＮした時には、そのＯＮ時間に対応し、短い時間であれば飲み込む効果音「ゴクゴク」を１〜２回に続いて催促する「もっと頂だい」、長い時間であれば、効果音「ゴクゴク」を３回以上に続いて「お腹一杯」、ガラガラ玩具１７のスイッチ３１ｃがＯＮした時には笑い声が出力されるように設定されている。なお、図６において、符号５８は電源スイッチ、５９は電源電池、６０はモータ１１のドライバ回路を示す。
【００２６】
上記構成の作動装置によれば、熊の子供を模して形成された縫いぐるみ玩具Ａを装置本体（椅子）１に座らせ、両脚がそれぞれシーソー板１３、１４に載るように保持部２に保持させる。この状態で電源スイッチ５８をＯＮすると、第１の検出部７は縫いぐるみ玩具Ａが保持部２に保持されたことを検出し、検出信号は制御部３５に入力され、制御部３５は縫いぐるみ玩具Ａが保持部２に保持されたことを認識する。
【００２７】
この状態で、例えば、図７に示すように、哺乳瓶玩具１６の乳首部１６ａを縫いぐるみ玩具Ａの口部に押し付ける。押し付けて乳首部１６ａが引っ込んだ時にスイッチ２２がＯＮするが、制御部３５は既に第１の検出部７が保持部２に縫いぐるみ玩具Ａが保持されていることを認識しているので、モータ１１を回転させ、減速歯車２２、フリクションカム２５を介して駆動カム２６を回転させる。駆動カム２６が回転すると駆動ピン２８ａ、２８ｂがシーソー板１３、１４の後端に交互に係合し、これを交互に上方に回動させる。
【００２８】
駆動ピン２８ａ、２８ｂとシーソー板１３、１４の係合が外れるとシーソー板１３、１４は自重で下降し、駆動カム２６の回転に伴ってシーソー板１３、１４を交互に上下動して縫いぐるみ玩具Ａの足に交互に係合し、足を交互に押し上げるので恰も足をばたばたしているように動作させることができる。
【００２９】
この時、制御部３５は音声合成回路５６に効果音を出力するように指示をするので、スピーカ５７から効果音が出力されるが、哺乳瓶玩具１６のスイッチ２２のＯＮ時間が短かければ飲み込む効果音「ゴクゴク」を１〜２回に続いて催促する「もっと頂だい」の効果音が出力され、長ければ、効果音「ゴクゴク」を３回以上に続いて「お腹一杯」の効果音が出力されるので、恰も縫いぐるみ玩具Ａがミルクを飲みながら脚をばたばたさせ催促や満足の意思表示をしているような動作をさせることができる。
【００３０】
また、壷玩具１５の上面開口部１５ａからスプーン玩具４０の先端を差し込むと、スプーン玩具４０がスイッチ３１ａを押してＯＮさせることにより、制御部３５は熊が蜂蜜を催促する効果音「お腹がへった、早く頂だい」をスピーカ５７から出力させ、第１の検出手段７が保持部２に縫いぐるみ玩具Ａが保持されていることを検出しているのでシーソー板１３、１４を交互に上下に回動させて縫いぐるみ玩具Ａの足を交互に上下動させ、恰も足をばたばたさせて催促しているような状態を作りだすことができる。
【００３１】
スプーン玩具４０を壷玩具１５に差し込むと、スライダの先端がスプーン本体の先端から突出し、係止凹部が係止突部に係止され先端の蜂蜜が露出した状態になっているが、この蜂蜜を縫いぐるみ玩具Ａの口部に押し付けると係止が解除され、スプリングに付勢されてスライダがスプーン本体内に没入するので恰も縫いぐるみ玩具が蜂蜜を食べたように見せることができる。
【００３２】
そして、ガラガラ玩具１７を振った時は、振動でスイッチ２１がＯＮするので、制御部３５は喜んでいる効果音（笑い声）をスピーカ５７から出力させ、第１の検出手段７が保持部２に縫いぐるみ玩具Ａが保持されていることを検出しているのでシーソー板１３、１４を交互に上下に回動させて縫いぐるみ玩具Ａの足を交互に上下動させ、恰も足をばたばたさせて喜んでいるような状態を作りだすことができる。
【００３３】
上述したように作動機構を有しない縫いぐるみ玩具であっても、椅子に座らせて検出手段に状態の変化を検出させることにより、恰も縫いぐるみ玩具の内部に音声を発したり体を動かしたりする効果音出力部や作動機構が存在しているように動作させることができる。しかも、縫いぐるみ玩具の内部には動作させるための装置を収容させる必要がないので、縫いぐるみの持つ本来の柔らかな感触が得られ不自然さを払拭することができる。
【００３４】
また、気に入った縫いぐるみ玩具を装置本体に保持させることによって、単なる縫いぐるみ玩具に命を吹き込んだように見え、玩具に対する愛着が生まれるとともに、遊びの幅を広げることができる。そして、メカニズムを内蔵していないので簡単にクリーニングすることができ、いつまでも清潔な状態で縫いぐるみ玩具を使用させることができ衛生管理の面においても大きな効果を発揮することができる。
【産業上の利用可能性】
【００３５】
図８に示すように、上述の音声合成回路５６に音声切替スイッチ６１を設け、縫いぐるみ玩具の種類（女の子、男の子、動物等）によって音声切替スイッチ６１を切り替えることにより縫いぐるみ玩具の種類に対応して音声を選択できるようにしてもかまわない。
【００３６】
また、装置本体に音を検出するコンデンサマイク等の音センサからなる検出手段を配置し、音に反応して作動機構を作動させ縫いぐるみ玩具を動かすようにしてもかまわない。
【００３７】
さらに、上述の作動装置では検出手段の検出結果はリード線を介して制御部に入力されているが、検出手段には送信機を設け、制御部には受信機を設けてもかまわない。検出手段で検出した結果は送信機で送信し、制御部に設けた受信機で受信することにより作動機構を遠隔で作動させて縫いぐるみ等の玩具を動作させることができる。
【図面の簡単な説明】
【００３８】
【図１】本発明に係る玩具作動装置の一例を示す斜視図
【図２】上記玩具作動装置の側面側斜視図
【図３】作動機構の分解斜視図
【図４】形象部材の一例を説明する斜視図
【図５】上記形象部材の構成を説明する分解斜視図
【図６】上記玩具作動装置の電気的構成を説明するブロック図
【図７】上記玩具作動装置の使用状態を説明する斜視図
【図８】上記玩具作動装置の他の電気的構成を説明するブロック図
【符号の説明】
【００３９】
１    玩具作動装置
２    保持部
７    第１の検出手段
１０    作動機構
１２    係合部材
３１    第２の検出手段
３５    制御手段
５５    効果音出力部
Ａ    玩具
Ｂ    形象部材
【図１】
2005185547.tif 000003
【図２】
2005185547.tif 000004
【図３】
2005185547.tif 000005
【図４】
2005185547.tif 000006
【図５】
2005185547.tif 000007
【図６】
2005185547.tif 000008
【図７】
2005185547.tif 000009
【図８】
2005185547.tif 000010